(57)【特許請求の範囲】
【請求項１】
設置時に下方に開かれて水が流入する流入口と、該流入口と連通し、設置時に水が下方から上方に向かう軸方向に流されるとともに該軸方向に延びるストレーナ室が形成された第１流水路と、該第１流水路と連通し、水が該第１流水路と交差する方向に導かれる第２流水路とを有するハウジングと、
筒状をなして該ストレーナ室に収納され、該第１流水路によって一端から自己の内部に水が流入し、自己の側面で水をろ過して該第２流水路に水を流すストレーナ本体と、
設置時に該ストレーナ本体の下方に位置するように設けられ、該ストレーナ本体内から落下する異物を捕捉する異物捕捉部とを備えたストレーナ装置において、
前記異物捕捉部は、前記ストレーナ本体の前記一端又は該一端より上流側の前記第１流水路の内周面に周縁が固定され、該第１流水路に水が流入する際には上方に撓み、該第１流水路に水が流入しない際には捕捉した前記異物によって水平方向より下方に撓まない剛性を有し、中心から放射方向に延びる複数本の切り込みが形成された一枚の板材からなることを特徴とするストレーナ装置。
【請求項２】
設置時に下方に開かれて水が流入する流入口と、該流入口と連通し、設置時に水が下方から上方に向かう軸方向に流されるとともに該軸方向に延びるストレーナ室が形成された第１流水路と、該第１流水路と連通し、水が該第１流水路と交差する方向に導かれる第２流水路とを有するハウジングと、
筒状をなして該ストレーナ室に収納され、該第１流水路によって一端から自己の内部に水が流入し、自己の側面で水をろ過して該第２流水路に水を流すストレーナ本体と、
設置時に該ストレーナ本体の下方に位置するように設けられ、該ストレーナ本体内から落下する異物を捕捉する異物捕捉部とを備えたストレーナ装置に用いられ、
前記異物捕捉部は、前記ストレーナ本体の前記一端に結合され、該第１流水路に水が流入する際には上方に撓み、該第１流水路に水が流入しない際には捕捉した前記異物によって水平方向より下方に撓まない剛性を有し、中心から放射方向に延びる複数本の切り込みが形成された一枚の板材からなり、
前記異物捕捉部と前記ストレーナ本体とからなることを特徴とするストレーナ。
【発明の詳細な説明】
【技術分野】
【０００１】
本発明はストレーナ装置及びストレーナに関する。
【背景技術】
【０００２】
特許文献１の図１〜図３に従来のストレーナ装置及びストレーナが開示されている。このストレーナ装置は、ハウジングと、ハウジングに形成されたストレーナ室に収納されたストレーナ本体と、ストレーナ本体の下方に位置するように設けられ、ストレーナ本体内から落下する異物を捕捉する異物捕捉部と、異物捕捉部の下方に位置するように設けられた支持部材とを備えている。ストレーナは、ストレーナ本体と、異物捕捉部と、支持部材とからなる。
【０００３】
ハウジングは、設置時に下方に開かれて水が流入する流入口と、流入口と連通し、設置時に水が下方から上方に向かう軸方向に流されるとともに軸方向に延びるストレーナ室が形成された第１流水路を有している。また、ハウジングは、第１流水路と連通し、水が第１流水路と直交する方向に導かれる第２流水路とを有している。ストレーナ本体は、筒状をなしてストレーナ室に収納されている。第１流水路によってストレーナ本体の下端部から内部に流入した水は、ストレーナ本体の側面でろ過され、第２流水路へ流出する。異物捕捉部は、ストレーナ本体の下端部に周縁が固定された枠体と、この枠体に一端が回動可能に取り付けられた複数の線状体とを有している。この線状体は、第１流水路に水が流入する際には、その水の勢いで一端を中心にして他端が上方向に移動するように回動する。また、この線状体は、第１流水路に水が流入しない際には、他端が垂れ下がらないように支持部材に支持される。
【０００４】
このストレーナ装置は、第１流水路に水が流入する際には、水の勢いで異物捕捉部の線状体が回動するため、異物捕捉部による水圧の低下が少なく、良好に通水することができる。また、第１流水路に水が流入しない際には、ストレーナ本体の側面内側から落下した異物を異物捕捉部が捕捉することができる。
【０００５】
【特許文献１】特開２００６−３５０７９号公報
【発明の開示】
【発明が解決しようとする課題】
【０００６】
しかし、上記従来のストレーナ装置では、支持部材が異物捕捉部の下方に適切に組み付けられないと線状体が支持部材に支持されず、線状体の他端が垂れ下がってしまう。この場合、異物を良好に捕捉することができない。また、支持部材を異物捕捉部の下方に適切に組み付けるためには手間を要する。また、部品点数が多く、組み付けに手間を要する。
【０００７】
本発明は、上記従来の実情に鑑みてなされたものであって、異物を良好に捕捉することができ、かつ組み付けを容易に行なうことができるストレーナ装置及びストレーナを提供することを解決すべき課題としている。
【課題を解決するための手段】
【０００８】
本発明のストレーナ装置は、設置時に下方に開かれて水が流入する流入口と、該流入口と連通し、設置時に水が下方から上方に向かう軸方向に流されるとともに該軸方向に延びるストレーナ室が形成された第１流水路と、該第１流水路と連通し、水が該第１流水路と交差する方向に導かれる第２流水路とを有するハウジングと、
筒状をなして該ストレーナ室に収納され、該第１流水路によって一端から自己の内部に水が流入し、自己の側面で水をろ過して該第２流水路に水を流すストレーナ本体と、
設置時に該ストレーナ本体の下方に位置するように設けられ、該ストレーナ本体内から落下する異物を捕捉する異物捕捉部とを備えたストレーナ装置において、
前記異物捕捉部は、前記ストレーナ本体の前記一端又は該一端より上流側の前記第１流水路の内周面に周縁が固定され、該第１流水路に水が流入する際には上方に撓み、該第１流水路に水が流入しない際には捕捉した前記異物によって水平方向より下方に撓まない剛性を有し、中心から放射方向に延びる複数本の切り込みが形成された一枚の板材からなることを特徴とする。
【０００９】
このストレーナ装置では、異物捕捉部が捕捉した異物によって下方に撓まない剛性を有する材料からなるため、第１流水路に水が流入しない際には、ストレーナ本体の側面内側から落下した異物を異物捕捉部が確実に捕捉することができる。また、異物捕捉部の下方に異物捕捉部を支持する支持部材が不要となり、部品点数を少なくすることができる。
【００１０】
したがって、本発明のストレーナ装置は、異物を良好に捕捉することができ、かつ組み付けを容易に行なうことができる。
【００１１】
本発明のストレーナ装置において、異物捕捉部は、中心から放射方向に延びる複数本の切り込みが形成された一枚の板材からなる。この場合、異物捕捉部を容易に形成することができる。
【００１３】
また、異物捕捉部は、ストレーナ本体の一端に結合され、ストレーナ本体と異物捕捉部とがストレーナとされ得る。この場合、異物捕捉部をストレーナ本体とは別にハウジング内に組み付ける手間が省け、組み付けをより容易に行なうことができる。
【００１４】
さらに、異物捕捉部は、第１流水路の内周面に密接し、止水可能に設けられ得る。この場合、ストレーナとストレーナ室との間にパッキンを別に組み付ける手間が省け、組み付けをより容易に行なうことができる。
【００１５】
本発明のストレーナは、設置時に下方に開かれて水が流入する流入口と、該流入口と連通し、設置時に水が下方から上方に向かう軸方向に流されるとともに該軸方向に延びるストレーナ室が形成された第１流水路と、該第１流水路と連通し、水が該第１流水路と交差する方向に導かれる第２流水路とを有するハウジングと、
筒状をなして該ストレーナ室に収納され、該第１流水路によって一端から自己の内部に水が流入し、自己の側面で水をろ過して該第２流水路に水を流すストレーナ本体と、
設置時に該ストレーナ本体の下方に位置するように設けられ、該ストレーナ本体内から落下する異物を捕捉する異物捕捉部とを備えたストレーナ装置に用いられ、
前記異物捕捉部は、前記ストレーナ本体の前記一端に結合され、該第１流水路に水が流入する際には上方に撓み、該第１流水路に水が流入しない際には捕捉した前記異物によって水平方向より下方に撓まない剛性を有し、中心から放射方向に延びる複数本の切り込みが形成された一枚の板材からなり、
前記異物捕捉部と前記ストレーナ本体とからなることを特徴とする。
【００１６】
このストレーナでは、異物捕捉部が捕捉した異物によって水平方向より下方に撓まない剛性を有する材料からなるため、第１流水路に水が流入しない際には、ストレーナ本体の側面内側から落下した異物を異物捕捉部が確実に捕捉することができる。また、異物捕捉部の下方に異物捕捉部を支持する支持部材が不要となり、部品点数を少なくすることができる。
【００１７】
したがって、本発明のストレーナは、異物を良好に捕捉することができ、かつ組み付けを容易に行なうことができる。
【００１８】
このストレーナにおいて、異物捕捉部は、中心から放射方向に延びる複数本の切込みが形成された一枚の板材から形成されている。この場合、異物捕捉部を容易に形成することができる。また、異物捕捉部は、第１流水路の内周面に密接し、止水可能に設けられても良い。この場合、ストレーナとストレーナ室との間にパッキンを別に組み付ける手間が省け、組み付けをより容易に行なうことができる。
【発明を実施するための最良の形態】
【００１９】
以下、本発明のストレーナ装置及びストレーナを具体化した実施例及び参考例を図面を参照しつつ説明する。
【実施例１】
【００２０】
＜実施例＞
図１に示すように、実施例のストレーナ装置は、ハウジング１と、ハウジング１内に収納されたストレーナ２とを備えている。
【００２１】
ハウジング１は、設置時に下方に開かれる流入口１０Ｄと、流入口１０Ｄに連通し、上方向に延びる第１流水路１１と、第１流水路１１に連通し、第１流水路１１に直交する方向に延びる第２流水路１２とからなるハウジング本体１０を有している。また、ハウジング１は、第１流水路１１の上端を開放する開口１０Ｖを開閉する蓋体１３を有している。
【００２２】
第１流水路１１には、その内周面に段部１０Ｓが形成され、段部１０Ｓから上方に第１流水路１１の軸方向に延びるストレーナ室１１Ｒが形成されている。開口１０Ｖより下方の第１流水路１１の内周面には、螺子１０Ｎが切られている。第２流水路１２は、ストレーナ室１１Ｒの側方から横方向に延びて形成されている。
【００２３】
蓋体１３は、下端部の外周面に螺子１０Ｎに螺号する螺子１３Ｎが切られている。蓋体１３の下端面には、後述するストレーナ２の上端部が嵌り込む凹部１３Ａが形成されている。蓋体１３の外周面には、パッキンＰを保持する凹部１３Ｂが形成され、パッキンＰが嵌められている。蓋体１３の凹部１３Ａにストレーナ２の上端部を嵌めた後、蓋体１３を開口１０Ｖにねじ込むことにより、ストレーナ室１１Ｒ内にストレーナ２が配置されるとともに、蓋体１３により開口１０Ｖが水密状に閉鎖される。また、蓋体１３を開口１０Ｖから取り外せば、ストレーナ２は、凹部１３Ａに嵌め込まれた状態でストレーナ室１１Ｒから取り出すことができる。
【００２４】
ストレーナ２は、図２に示すように、ストレーナ本体２０と異物捕捉部３０とからなる。ストレーナ本体２０は、筒状をなし、側面に開口が設けられた枠体２１と、この開口を覆う網状部材２２とから形成されている。
【００２５】
異物捕捉部３０は、特定の剛性を有するゴム材により形成されており、一枚の板材の中心から放射方向に延びる６本の切り込み３１により分割された６個の可動片３２と、これら可動片３２の周囲に設けられ、図１に示すように、段部１０Ｓに密接する平面部３３と、平面部３３から立ち上がり、ストレーナ本体２０の下端部の外周面を覆う周壁部３４とを有する。この異物捕捉部３０の可動片３２は、一枚の板材に切り込み３１を設けることにより容易に形成することができる。異物捕捉部３０のゴム材が有する特定の剛性は、可動片３２が、図３に示すように、下方から水が流入する場合、すなわち、ストレーナ装置内に水が流れる場合、水の勢いにより上方に撓み、図４に示すように、下方から水が流入しない場合、すなわち、ストレーナ装置内に水が流れない場合、ストレーナ本体２０の内側から落下した異物によっては可動片３２が水平方向より下方に撓まないように任意に決定される。
【００２６】
また、異物捕捉部３０は、図１に示すように、周壁部３４の上端から内側に屈曲した係止片３５を有し、ストレーナ本体２０の下端部の周面に設けられた溝２３に係合する。このようにして、ストレーナ本体２０の下端部に異物捕捉部３０を容易に結合することができる。このため、ストレーナ室１１Ｒに異物捕捉部３０をストレーナ本体２０とは別に組み付ける手間が省け、組み付けをより容易に行なうことができる。さらに、異物捕捉部３０の平面部３３が段部１０Ｓに密接して組み付けられるため、ストレーナ本体２０の下端部と段部１０Ｓとの間が止水され、ストレーナ本体２０の下端部から内部に水が良好に流入する。このように、パッキンを別に組み付ける手間が省け、組み付けをより容易に行なうことができる。
【００２７】
図３に示すように、このストレーナ装置の第１流水路１１に水が流入すると、すなわち、ストレーナ装置内に水が流れると、水の勢いにより異物捕捉部３０の可動片３２は上方に撓み、ストレーナ本体２０の内部に水が流入する。このように、可動片３２が上方に撓むため、水圧の低下は少なく、良好に通水することができる。ストレーナ本体２０の内部に流入した水は、側面の開口に設けられた網状部材２２によりろ過されて第２流水路１２に流出する。この際、網状部材２２の内側には、ゴミ等の異物Ｇが付着する。
【００２８】
第１流水路１１への水の流入が終了すると、すなわち、ストレーナ装置内に水が流れなくなると、図４に示すように、可動片３２は、先端側がやや上向きの水平状態になり、ストレーナ２の下端開口を塞ぐ。可動片３２は水平状態になっても良いが、先端側がやや上向きになった方が異物Ｇをより確実に捕捉することができる。網状部材２２の内側に付着した異物Ｇの内、重い異物Ｇは網状部材２２から落下し易く、落下した異物Ｇは可動片３２の上面に捕捉される。可動片３２は、可動片３２の上面に捕捉された異物Ｇによって水平方向より下方に撓まないため、異物Ｇを確実に捕捉することができる。
【００２９】
したがって、実施例のストレーナ装置及びストレーナ２は、異物を良好に捕捉することができ、かつ組み付けを容易に行なうことができる。
【実施例２】
【００３０】
＜参考例＞
参考例のストレーナ装置は、ハウジング１と、ハウジング１内に収納されたストレーナ３とを備えている。図５に示すように、ストレーナ３の異物捕捉部４０が実施例と相違する点を除き、ハウジング１及びストレーナ本体２０は実施例と同じ構成を有する。実施例と同一の構成については、詳細な説明は省略する。
【００３１】
参考例のストレーナ３の異物捕捉部４０は、特定の剛性を有するゴム材により形成されており、第１流水路１１を流れる水によって拡大する連通孔４１が中心に形成された一枚の膜材４２を有する。また、異物捕捉部４０は、膜材４２の周縁から立ち上がり、ストレーナ本体２０の下端部の外周面を覆う周壁部４３を有する。この異物捕捉部４０は、膜材４２の中心に連通孔４１を形成することにより容易に形成することができる。異物捕捉部４０のゴム材が有する特定の剛性は、図６（Ｂ）に示すように、下方から水が流入する場合、すなわち、ストレーナ装置内に水が流れる場合、水の勢いにより膜材４２が押されて連通孔４１を拡大し、下方から水が流入しない場合、すなわち、ストレーナ装置内に水が流れない場合、ストレーナ本体２０の内側から落下した異物によっては膜材４２が水平方向より下方に撓まないように任意に決定される。
【００３２】
また、異物捕捉部４０は、図６に示すように、周壁部４３の上端から内側に屈曲した係止片４４を有し、ストレーナ本体２０の下端部の周面に設けられた溝２３に係合する。このようにして、ストレーナ本体２０の下端部に異物捕捉部４０を容易に結合することができる。このため、ストレーナ室１１Ｒに異物捕捉部４０をストレーナ本体２０とは別に組み付ける手間が省け、組み付けをより容易に行なうことができる。さらに、膜材４２の周縁部が段部１０Ｓに密接して組み付けられるため、ストレーナ本体２０の下端部と段部１０Ｓとの間が止水され、ストレーナ本体２０の下端部から内部に水が良好に流入する。このように、パッキンを別に組み付ける手間が省け、組み付けをより容易に行なうことができる。
【００３３】
第１流水路１１に水が流入しない際には、図６（Ａ）に示すように、膜材４２は水平状態になる。この状態で、ストレーナ本体２０の網状部材２２の内側に付着した異物Ｇが落下すると、膜材４２の上面に捕捉される。膜材４２は、膜材４２の上面に捕捉された異物Ｇによって下方に撓まないため、異物Ｇを確実に捕捉することができる。
【００３４】
したがって、参考例のストレーナ装置及びストレーナ３は、異物を良好に捕捉することができ、かつ組み付けを容易に行なうことができる。
【００３５】
以上において、本発明を実施例に即して説明したが、本発明は上記実施例に制限されるものではなく、その趣旨に逸脱しない範囲で適宜変更して適用できることはいうまでもない。
【００３６】
例えば、実施例において、異物捕捉部３０をストレーナ本体２０の下端部に結合しているが、異物捕捉部を平板状に形成し、ストレーナ本体２０の下端面と段部１０Ｓとの間に挟みこむように配置しても良い。
【００３７】
また、実施例において、可動片３２が第１流水路１１に流入する水の勢いにより上方に撓みやすくするために、可動片３２の周縁部の上面に溝を設け、可動片３２の周縁部を撓み易くしても良い。さらに、可動片３２の周縁部に回転軸を設けて、回動軸を中心に可動片３２が上方向のみに回動し、撓むようにしても良い。
【産業上の利用可能性】
【００３８】
本発明は水洗便器用給水装置に利用可能である。
【図面の簡単な説明】
【００３９】
【図１】実施例のストレーナ装置の断面図である。
【図２】実施例のストレーナの斜視図である。
【図３】実施例のストレーナ装置において、水が流入する際の状態を示す模式図である。
【図４】実施例のストレーナ装置において、異物捕捉部に異物が捕捉される状態を示す模式図である。
【図５】参考例のストレーナの斜視図である。
【図６】参考例のストレーナの一部断面図である。
【符号の説明】
【００４０】
１…ハウジング
２、３…ストレーナ
１０Ｄ…流入口
１１…第１流水路
１１Ｒ…ストレーナ室
１２…第２流水路
２０…ストレーナ本体
３０、４０…異物捕捉部
３１…切り込み
４１…連通孔
Ｇ…異物
【図１】
0004866826.tif 000002
【図２】
0004866826.tif 000003
【図３】
0004866826.tif 000004
【図４】
0004866826.tif 000005
【図５】
0004866826.tif 000006
【図６】
0004866826.tif 000007